(57)【要約】【課題】  排出口の詰まりによる機器への負荷を避けることができる排水口構造を提供する。【解決手段】  排水口構造２は、機器に接続されて壁１を貫通する排水管３と、排水管３の端部３ａに嵌められる第１止水部材４と、端部３ａの、第１止水部材４よりも後方側に嵌められる第２止水部材５と、排水管３を保持する保持体６とからなる。この保持体６は、排水管３の端部３ａが挿入される通孔６ａを有し、通孔６ａは、排水管３よりも先が第１排出口６ｂとなる。通孔６ａは、第１止水部材４が収容される第１収容凹部６ｃと、第１収容凹部６ｃよりも径大な中間凹部６ｅと、第２止水部材５が収容される第２収容凹部６ｄとを有する。中間凹部６ｅには、中間凹部６ｅへの第１止水部材４の移動を制限する係合部材７が設けられる。そして、通孔６ａには、中間凹部６ｅと第２収容凹部６ｄとの間に、流出口６ｇが設けられ、その流出口６ｇが第２排出口６ｆに通ずる。【選択図】  図２
2010070951.tif 000002
【特許請求の範囲】
【請求項１】
壁の裏側に設置された機器からの排水をその壁の表側へと排水する排水口構造であって、
前記機器に接続されて、端部が前記壁の裏側から表側に貫通する排水管と、
前記排水管の端部の外周に嵌められる第１止水部材と、
前記排水管の端部の、前記第１止水部材よりも先端とは反対側となる後方側の外周に嵌められる第２止水部材と、
前記壁に固定されて前記排水管の端部を収容して保持する保持体とを、備え、
前記保持体は、前記排水管の端部が途中位置まで挿入される通孔を有し、その通孔は、前記排水管よりも先が、前記排水管からの排水を外部へ排出する第１排出口となり、
前記通孔には、前記第１止水部材が収容される第１収容凹部と、前記第２止水部材が収容される第２収容凹部と、前記第１収容凹部と前記第２収容凹部との間にあって前記第１収容凹部に続きその第１収容凹部よりも径大な中間凹部とが設けられ、また、
前記通孔には、前記中間凹部に、または、その中間凹部を越えた、前記第２止水部材の前方に、前記第１排出口とは異なる位置に備えられる第２排出口に通ずる流出口が設けられ、
前記通孔は、その通孔の周面と前記排水管の外面との隙間を通って前記第１止水部材にかかる後方への排水圧に対して、所定の排水圧に満たない排水圧では前記第１止水部材を前記第１収容凹部に留め、前記所定の排水圧以上の排水圧では前記第１止水部材が前記中間凹部へと移動する、維持手段を有し、
前記第１止水部材は、前記所定の排水圧以上の排水圧で前記中間凹部へと移動することで、その第１止水部材による止水が破壊し、排水が前記流出口を通って前記第２排出口から排出することを特徴とする、排水口構造。
【請求項２】
前記維持手段は、前記中間凹部への前記第１止水部材の移動を制限するように、前記第１止水部材の後方に位置して、前記第１収容凹部あるいは前記中間凹部の周面、または前記排水管の外面に係合する、係合部材からなることを特徴とする、請求項１に記載の排水口構造。
【請求項３】
前記維持手段は、前記中間凹部への前記第１止水部材の移動を制限するように、前記第１止水部材に係合する前記第１収容凹部の周面からなることを特徴とする、請求項１に記載の排水口構造。
【請求項４】
前記保持体は、前記通孔を有して前記壁に固定される保持体本体と、その保持体本体における前記壁の表側への露出部分を覆うカバー体とからなり、
前記カバー体は、前記第１排出口が外部に臨むように開口する開口部を備えるとともに、前記第２排出口を形成することを特徴とする、請求項１ないし３のいずれか１項に記載の排水口構造。
【発明の詳細な説明】
【技術分野】
【０００１】
この発明は、壁の裏側の機器からの排水を表側へと排水する排水口構造に関するものである。
【背景技術】
【０００２】
従来、ユニットバス内をサウナ空間とすることができるサウナ装置があった（例えば、特許文献１参照）。図９に示すように、このサウナ装置５１は、ユニットバス５０の天井部に設置されるものであって、給湯配管５２から加湿温水供給経路５３を介して供給された加湿温水が天井のノズル５４から霧状に噴出されることで、ユニットバス５０内を加湿するようになっていた。そして、給湯配管５２と加湿水供給経路５３との間には、三方弁５５が備えられ、その三方弁５５には、サウナ装置５１外部に不用な水を排水するための排水管５６が接続された。この排水管５６は、ユニットバス５０の壁裏に沿って下方へ配設されて、壁５７を貫通することで、ユニットバス５０内に、排水を流していた。ここにおいて、排水管５６における壁５７の貫通部には、排水管５６を保持する管接続部材６０が取り付けられた。
【０００３】
ところで、このサウナ装置５１に接続される排水管５６にあっては、その排水管５６を横引き配管する部分には自然排水のための排水勾配が必要であった。しかし、可撓性を備えた排水管５６を用いると、排水管５６自身の巻き癖や施工の不手際などにより、横引き配管部５６ａにおいて排水勾配がとれていない箇所が存在する虞があった。
【０００４】
そこで、本発明者は、自然排水の排水勾配を容易に確保することができる、排水管固定具を発明した（特願２００８−００４９５９）。図１０に示すように、この排水管固定具７０は、排水管７１の端部が挿入される通孔７２に、止め具７３を備えるものであった。この止め具７３は、壁７４の表側を向く方向への排水管７１の移動を許容するが、その移動後に排水管７１の戻りを阻止するように、一方の方向へ傾斜して排水管７１の外面を係止する突刺片７３ａを有していた。これにより、施工にあたって、排水管７１を壁７４の表側を向く方向へ引っ張って緊張させれば、止め具７３が、排水管７１の戻りを阻止し、このため、排水管７１の緊張が保持されて、その排水管７１の自然排水の排水勾配は確保された。
【０００５】
【特許文献１】特開２００５−１５２１９７号公報
【発明の開示】
【発明が解決しようとする課題】
【０００６】
しかし、前記排水管固定具７０にあっては、排水管７１からの排水を排出する排出口７５が詰まると、排水管７１内に水がたまって、サウナ装置５１（機器）に負荷がかかる虞があった。
【０００７】
この発明は、上記した従来の欠点を解決するためになされたものであり、その目的とするところは、排出口の詰まりによる機器への負荷を避けることができる、排水口構造を提供することにある。
【課題を解決するための手段】
【０００８】
この発明に係る排水口構造は、前記目的を達成するために、次の構成からなる。すなわち、
請求項１に記載の発明に係る排水口構造は、壁の裏側に設置された機器からの排水をその壁の表側へと排水する排水口構造である。この排水口構造は、前記機器に接続されて、端部が前記壁の裏側から表側に貫通する排水管と、前記排水管の端部の外周に嵌められる第１止水部材と、前記排水管の端部の、前記第１止水部材よりも先端とは反対側となる後方側の外周に嵌められる第２止水部材と、前記壁に固定されて前記排水管の端部を収容して保持する保持体とを、備える。ここで、前記保持体は、前記排水管の端部が途中位置まで挿入される通孔を有し、その通孔は、前記排水管よりも先が、前記排水管からの排水を外部へ排出する第１排出口となる。そして、前記通孔には、前記第１止水部材が収容される第１収容凹部と、前記第２止水部材が収容される第２収容凹部と、前記第１収容凹部と前記第２収容凹部との間にあって前記第１収容凹部に続きその第１収容凹部よりも径大な中間凹部とが設けられる。また、前記通孔には、前記中間凹部に、または、その中間凹部を越えた、前記第２止水部材の前方に、前記第１排出口とは異なる位置に備えられる第２排出口に通ずる流出口が設けられる。そして、前記通孔は、その通孔の周面と前記排水管の外面との隙間を通って前記第１止水部材にかかる後方への排水圧に対して、所定の排水圧に満たない排水圧では前記第１止水部材を前記第１収容凹部に留め、前記所定の排水圧以上の排水圧では前記第１止水部材が前記中間凹部へと移動する、維持手段を有する。そこで、前記第１止水部材は、前記所定の排水圧以上の排水圧で前記中間凹部へと移動することで、その第１止水部材による止水が破壊し、排水が前記流出口を通って前記第２排出口から排出する。
【０００９】
この排水口構造によると、普段は、機器からの排水は、排水管を通って第１排出口から排出される。しかし、この第１排出口が詰まると、通孔の周面と排水管の外面との隙間を通って第１止水部材に達する排水は、その排水圧が所定の排水圧以上となって、維持手段に抗して第１止水部材を第１収容凹部から径大な中間凹部へと移動させる。これにより、第１止水部材による止水が破壊し、排水が、通孔に設けられた流出口を通って第２排出口から排出する。そこで、この第２排出口からの排水の排出を視認することで、第１排出口の詰まりが検知される。そして、流出口よりも後方には、第２止水部材が設けられており、この第２止水部材により、排水が排水管の外周を伝って後方へ漏れ出るのを防ぐことができる。
【００１０】
また、請求項２に記載の発明に係る排水口構造にあっては、請求項１に記載の排水口構造において、前記維持手段は、前記中間凹部への前記第１止水部材の移動を制限するように、前記第１止水部材の後方に位置して、前記第１収容凹部あるいは前記中間凹部の周面、または前記排水管の外面に係合する、係合部材からなる。
【００１１】
また、請求項３に記載の発明に係る排水口構造にあっては、請求項１に記載の排水口構造において、前記維持手段は、前記中間凹部への前記第１止水部材の移動を制限するように、前記第１止水部材に係合する前記第１収容凹部の周面からなる。
【００１２】
また、請求項４に記載の発明に係る排水口構造にあっては、請求項１ないし３のいずれか１項に記載の排水口構造において、前記保持体は、前記通孔を有して前記壁に固定される保持体本体と、その保持体本体における前記壁の表側への露出部分を覆うカバー体とからなる。そして、前記カバー体は、前記第１排出口が外部に臨むように開口する開口部を備えるとともに、前記第２排出口を形成する。
【発明の効果】
【００１３】
この発明に係る排水口構造によれば、第１排出口が詰まった場合には、その詰まりを第２排出口からの排水の排出によって検知することができ、また、その検知によって第１排出口の詰まりを取り除くことで、第１排出口の詰まりによる機器への負荷を避けることができる。
【発明を実施するための最良の形態】
【００１４】
以下、この発明に係る排水口構造を実施するための最良の形態を図面に基づいて説明する。
【００１５】
図１〜図４は、本発明の一実施の形態を示す。図中符号１は、建物における壁、例えば、ユニットバス等の浴室の壁である。２は、前記壁１の裏側１０２に設置された機器（例えば、浴室の天井壁上に設置されたミストサウナ装置）からの排水をその壁１の表側１０１へと排水する排水口構造である。
【００１６】
この排水口構造２は、前記機器（図示せず）に接続されて、端部３ａが前記壁１の裏側１０２から表側１０１に貫通する排水管３と、排水管３の端部３ａの外周に嵌められるリング状の第１止水部材４と、排水管３の端部３ａの、第１止水部材４よりも先端とは反対側となる後方側の外周に嵌められるリング状の第２止水部材５と、前記壁１に固定されて排水管３の端部３ａを収容して保持する保持体６とを、備える。この保持体６は、排水管３の端部３ａが途中位置まで挿入される通孔６ａを有する。そこで、通孔６ａは、排水管３よりも先が、排水管３からの排水を外部へ排出する第１排出口６ｂとなっている。そして、通孔６ａには、第１止水部材４が収容される第１収容凹部６ｃと、第２止水部材５が収容される第２収容凹部６ｄと、第１収容凹部６ｃと第２収容凹部６ｄとの間にあって第１収容凹部６ｃに続きその第１収容凹部６ｃよりも径大な中間凹部６ｅとが設けられる。
【００１７】
また、通孔６ａには、中間凹部６ｅに、または、その中間凹部６ｅを越えた、第２止水部材５の前方に、流出口６ｇが設けられ、その流出口６ｇが、第１排出口６ｂとは異なる位置に備えられる第２排出口６ｆに通ずる。そして、通孔６ａは、その通孔６ａの周面と排水管３の外面との隙間６０１を通って第１止水部材４にかかる後方への排水圧に対して、所定の排水圧に満たない排水圧では第１止水部材４を第１収容凹部６ｃに留め（図２参照）、所定の排水圧以上の排水圧では第１止水部材４が中間凹部６ｅへと移動する（図４参照）、維持手段６ｈを有する。そこで、第１止水部材４は、前記所定の排水圧以上の排水圧で中間凹部６ｅへと移動することで、その第１止水部材４による止水が破壊し、排水が流出口６ｇを通って第２排出口６ｆから排出する。
【００１８】
ところで、前記維持手段６ｈは、中間凹部６ｅへの第１止水部材４の移動を制限するように、第１止水部材４の後方に位置して、第１収容凹部６ｃあるいは中間凹部６ｅの周面、または排水管３の外面に係合する、係合部材７からなる。
【００１９】
具体的には、排水管３は、例えば、架橋ポリエチレン管やポリブデン管等の合成樹脂製の管からなり、可撓性を有する。
【００２０】
第１および第２止水部材４、５は、Ｏリングからなるが、特に、第１止水部材４よりも第２止水部材５が、外径が径大に形成されている。
【００２１】
係合部材７は、排水管３に嵌まるようにリング状に形成されている。そして、係合部材７は、その外周が多角形状をしている。詳細には、図３に示すように、係合部材７の外周は、六角形状をして、角部７ａが円弧状に面取りされている。そして、この係合部材７は、中間凹部６ｅに圧入されるようにして収容され、その中間凹部６ｅの周面に係合する（詳しくは、中間凹部６ｅの周面に前記角部７ａが係合する）。そこで、第１止水部材４が排水圧を受けて中間凹部６ｅへ移動しようとすると、係合部材７が、第１止水部材４を押さえて、その移動を制限する。
【００２２】
保持体６は、前記通孔６ａを有して壁１に固定される保持体本体８と、その保持体本体８における壁１の表側１０１への露出部分を覆うカバー体９とからなる。
【００２３】
保持体本体８は、壁１の裏側１０２に配備されるボックス体１０と、固定部材１１と、閉塞部材１２と、止め具１３とを備える。ボックス体１０は、壁１の裏側１０２にて排水管３が引き込まれる引込口１０ａと、壁１に形成された貫通孔１ａから壁１の表側１０１（図示実施の形態においては、浴室内）に臨む引出口１０ｂとを備える。固定部材１１は、壁１の裏側１０２において、その壁１に固定される固定部１１ａと、ボックス体１０を支持する支持部１１ｂとを備える。閉塞部材１２は、壁１の表側１０１からボックス体１０の引出口１０ｂを含めて貫通孔１ａを塞ぐものである。止め具１３は、前記通孔６ａに挿入された排水管３を抜け止めするものである。
【００２４】
詳細には、ボックス体１０は、内部を排水管３が通るように中空筒状に形成された本体部１０ｃと、その本体部１０ｃから鍔状に張り出した張出部１０ｄとからなる。そして、本体部１０ｃにおける一端側に、前記引込口１０ａが設けられ、他端側に、前記引出口１０ｂが設けられる。ここで、引込口１０ａには、排水管３が挿入されるところの鞘管２０が接続される鞘管接続部１０ｅが設けられている。引出口１０ｂは、壁１の貫通孔１ａを通って壁１の裏側１０２から表側１０１に渡るように突出形成されている。また、張出部１０ｄは、引出口１０ｂの基端に設けられて、周縁部分が、貫通孔１ａの周縁部裏面に対向位置する。
【００２５】
固定部材１１は、ボックス体１０の張出部１０ｄの周縁部分を覆うように、略Ｃ字状に形成されている。この固定部材１１は、張出部１０ｄを囲むようにして壁１に当接する前記固定部１１ａと、その固定部１１ａから内側に延出して張出部１０ｄの後面を支持する前記支持部１１ｂとからなる。そこで、固定部材１１は、固定部１１ａ部分で、例えばビス（図示せず）により壁１に固定され、これにより、ボックス体１０は、固定部材１１を介して壁１に取り付けられる。
【００２６】
閉塞部材１２は、排水管３を所要の方向（図示実施の形態においては、斜め下方）に導く案内部材ともなっている。この閉塞部材１２は、閉塞本体１４と閉塞補助体１５とからなり、これら閉塞本体１４と閉塞補助体１５とがビス１６により互いに連結される。
【００２７】
閉塞本体１４は、ボックス体１０の引出口１０ｂに嵌合する嵌合部１４ａと、その嵌合部１４ａの内側に形成されて排水管３が通る筒部１４ｂと、嵌合部１４ａから鍔状に張り出した張出部１４ｃとからなる。ここで、筒部１４ｂの内側の中間部に、前記第２収容凹部６ｄが形成され、口元側（前側）に、第２収容凹部６ｄよりも径大となる径大部１４ｄが形成される。そして、第２収容凹部６ｄに前記第２止水部材５が挿入され、径大部１４ｄに止め具１３が挿入される。また、張出部１４ｃは、貫通孔１ａの周縁部前面と対向位置して、例えばビス（図示せず）により、ボックス体１０の張出部１０ｄに取り付けられる。そして、この取り付けによって、閉塞本体１４の張出部１４ｃとボックス体１０の張出部１０ｄとが壁１を挟持する。もっとも、図示実施の形態においては、閉塞本体１４の張出部１４ｃと壁１との間には、他の止水部材１７が設けられており、この止水部材１７により、閉塞本体１４、ひいては閉塞部材１２と、貫通孔１ａとの間が止水される。
【００２８】
閉塞補助体１５は、排水管３が通されるように筒形状に形成され、この閉塞補助体１５の内側の後端部分に、前記中間凹部６ｅと前記第１収容凹部６ｃが形成される。そこで、第１収容凹部６ｃに前記第１止水部材４が挿入され、中間凹部６ｅに前記係合部材７が挿入される。そして、閉塞補助体１５は、その後端側が閉塞本体１４の径大部１４ｄに挿入されて、その閉塞本体１４に組み付けられ、この組み付けにより、止め具１３および第２止水部材５を抜け止めする。ここにおいて、この閉塞補助体１５と、閉塞本体１４における筒部１４ｂとで、通管筒体１２ａが形成され、この通管筒体１２ａの内側が、排水管３の端部３ａが挿入される前記通孔６ａとなっている。そして、閉塞補助体１５は、前端部に、前壁１５ａを有し、その前壁１５ａの後側に前記第１排出口６ｂが下方に開口して設けられる。また、止め具１３は、閉塞補助体１５の後端面と、閉塞本体１４における径大部１４ｄから第２収容凹部６ｄに移る段部とで挟まれ、それら後端面と段部との間が、前記流出口６ｇとなっている。すなわち、流出口６ｇは、ともに通孔６ａを構成する、中間凹部６ｅと第２収容凹部６ｄとの間に設けられている。
【００２９】
止め具１３は、鋼板等の板材からなり、排水管３の外周に嵌まるように、リング状に形成されている。この止め具１３は、斜め内側に向かって突設された複数の突刺片１３ａ、１３ａを有しており、この突刺片１３ａが、排水管３の外面を係止することで、排水管３が抜け止めされる。
【００３０】
カバー体９は、閉塞部材１２を壁１の表側１０１から覆う化粧カバーであって、閉塞部材１２に着脱可能に取り付けられる。そして、カバー体９は、前記第１排出口６ｂが外部に臨むように開口する開口部９ａを備える。この開口部９ａは、前記第１排出口６ｂを囲むようにして、下方に開口して形成される。また、このカバー体９が、前記第２排出口６ｆを形成し、図示実施の形態においては、カバー体９の後部下端と壁１との間が、第２排出口６ｆとなる。そこで、前記流出口６ｇは、閉塞本体１４の径大部１４ｄの周面と閉塞補助体１５の外面との隙間６０２、そして、カバー体９の内面と閉塞部材１２の外面との間６０３を通して、第２排出口６ｆに通じている。
【００３１】
次に、以上の構成からなる排水口構造２の作用効果について説明する。この排水口構造２によると、普段は、機器からの排水は、排水管３を通って第１排出口６ｂから排出される（図２参照）。しかし、この第１排出口６ｂが水垢とかごみ等で詰まると、通孔６ａの周面と排水管３の外面との隙間６０１を通って第１止水部材４に達する排水は、その排水圧が所定の排水圧以上となって、係合部材７（維持手段６ｈ）に抗して第１止水部材４を第１収容凹部６ｃから径大な中間凹部６ｅへと移動させる（図４参照）。これにより、第１止水部材４による止水が破壊し、排水が、通孔６ａに設けられた流出口６ｇを通って第２排出口６ｆから排出する。そこで、この第２排出口６ｆからの排水の排出を視認することで、第１排出口６ｂの詰まりが検知される。すなわち、第１排出口６ｂが詰まった場合には、その詰まりを第２排出口６ｆからの排水の排出によって検知することができ、また、その検知によって第１排出口６ｂの詰まりを取り除くことで、第１排出口６ｂの詰まりによる機器への負荷を避けることができる。しかも、第１排出口６ｂが詰まった場合であっても、流出口６ｇよりも後方には、第２止水部材５が設けられており、この第２止水部材５により、排水が排水管３の外周を伝って後方へ漏れ出るのを防ぐことができる。
【００３２】
なお、本発明は、上述した実施の形態に限定されるわけではなく、その他種々の変更が可能である。例えば、壁１は、ユニットバス等の浴室壁でなくとも、建物壁（建物そのものの壁）であってもよい。また、排水管３が接続される機器は、ミストサウナ装置でなくとも、広くエアコン等の空調機器とか、その他の機器であってもよい。
【００３３】
また、維持手段６ｈとなる係合部材７は、中間凹部６ｅに収容されなくとも、図５に示すように、第１収容凹部６ｃにおけ、第１止水部材４の後方に収容されて、その第１収容凹部６ｃの周面に係合してもよく、また、第１収容凹部６ｃまたは中間凹部６ｅに収容されて排水管３の外面に係合してもよい。
【００３４】
また、維持手段６ｈは、係合部材７からならなくとも、図６〜図８に示すように、中間凹部６ｅへの第１止水部材４の移動を制限するように、第１止水部材４に係合する第１収容凹部６ｃの周面からなってもよく、また、係合部材７とこの第１収容凹部６ｃの周面とを組み合わせてもよい。ここで、図６では、第１収容凹部６ｃの周面に、第１止水部材４の移動を制限する突部６ｉが設けられている。図７では、第１収容凹部６ｃの周面が、第１止水部材４の移動を制限するように、中間凹部６ｅ側ほど径小となる傾斜面となっている。そして、図８では、第１収容凹部６ｃの周面が、第１止水部材４の移動を制限するように、通常よりも径小に形成されている。
【００３５】
また、中間凹部６ｅは、第１収容凹部６ｃよりも径大であれば、その周面は、真円でなくとも、楕円、たまご形、角形等であったり、波打っていても構わない。
【００３６】
また、流出口６ｇは、中間凹部６ｅ、または、その中間凹部６ｅを越えた、第２止水部材５の前方に設けられればよく、例えば、流出口６ｇを形成する孔が、中間凹部６ｅの周面から前述の隙間６０２に通ずるように設けられてもよい。
【００３７】
また、第２排出口６ｆにおいては、カバー体９と壁１との間がその第２排出口６ｆとならなくとも、カバー体９に孔を設け、その孔が第２排出口６ｆとなってもよい。
【００３８】
また、保持体６は、カバー体９を有しているが、このカバー体９は、無くともよい。そして、この場合には、前記第２排出口６ｆは、閉塞部材１２に設けられる。
【図面の簡単な説明】
【００３９】
【図１】この発明の一実施の形態の、縦断面図である。
【図２】同じく、図１における要部拡大図である。
【図３】同じく、図２におけるＡ−Ａ線による拡大断面図である。
【図４】同じく、第１止水部材が中間凹部へと移動したときの要部拡大図である。
【図５】この発明の、第１の変形例を示す、図２相当図である。
【図６】この発明の、第２の変形例を示す、図２相当図である。
【図７】この発明の、第３の変形例を示す、図２相当図である。
【図８】この発明の、第４の変形例を示す、図２相当図である。
【図９】従来のユニットバスを示す縦断面図である。
【図１０】先行する出願の排水管固定具を示す縦断面図である。
【符号の説明】
【００４０】
１  壁
１０１  表側
１０２  裏側
２  排水口構造
３  排水管
３ａ  端部
４  第１止水部材
５  第２止水部材
６  保持体
６ａ  通孔
６ｂ  第１排出口
６ｃ  第１収容凹部
６ｄ  第２収容凹部
６ｅ  中間凹部
６ｆ  第２排出口
６ｇ  流出口
６ｈ  維持手段
６０１  隙間
７  係合部材
８  保持体本体
９  カバー体
９ａ  開口部
【図１】
2010070951.tif 000003
【図２】
2010070951.tif 000004
【図３】
2010070951.tif 000005
【図４】
2010070951.tif 000006
【図５】
2010070951.tif 000007
【図６】
2010070951.tif 000008
【図７】
2010070951.tif 000009
【図８】
2010070951.tif 000010
【図９】
2010070951.tif 000011
【図１０】
2010070951.tif 000012